(57)【要約】【課題】主として園芸用の支柱を、土中に差し込む、あるいは差込まれている支柱を抜くための支柱差込具を提供する。【解決手段】支柱を貫通させることができる垂直方向の貫通孔３を穿設した支柱保持部１に、貫通孔３と直交する方向に突出する操作部２を設ける。支柱保持部１には側方から支柱を挿入することができるように、側面が開放されることによって断面略Ｕ字状とし、前記貫通孔３と交差する斜め方向に交差孔４を穿設する。開放部4ａから交差孔４内に支柱を挿入し、支柱と支柱保持部を相対的に回動させて垂直方向の貫通孔内に支柱を移動させ、操作部２押し下げ、あるいは持ち上げることによって支柱を差し込み、あるいは抜き取る。【選択図】  図１
0003201531.tif 000002
【実用新案登録請求の範囲】
【請求項１】
支柱を貫通させることができる垂直方向の貫通孔を穿設した支柱保持部に、前記貫通孔３と直交する方向に突出する操作部を設けるとともに、
支柱保持部には側方から支柱Ａを挿入することができるように、側面が開放されることによって断面略Ｕ字状とし、前記貫通孔３と交差する斜め方向に交差孔を穿設し、該交差孔の開放部から交差孔内に挿入した支柱を相対的に回動させて垂直方向の貫通孔内に支柱を移動させることができるように、貫通孔と交差孔の間を切除して貫通孔を交差孔に向けて開口させたことを特徴とする支柱差込具。
【請求項２】
貫通孔の平面形状は、太径の支柱を挿入することができる直径の貫通孔とするとともに、貫通孔の内側面の操作部延長方向の対向位置に、細径の支柱の外側面の曲率半径と一致する小さな曲率半径の凹溝を形成したことを特徴とする請求項１記載の支柱差込具。
【請求項３】
操作部を水平方向の棒状とし、該棒状の操作部の両端にサイズの異なる支柱保持部を形成したことを特徴とする請求項１または２記載の支柱差込具。
【考案の詳細な説明】
【技術分野】
【０００１】
本考案は、主として園芸用の支柱を、土中に差し込む、あるいは差込まれている支柱を抜くための支柱差込具に関する考案である。
【背景技術】
【０００２】
園芸用の支柱を畑に差し込む場合、通常支柱を直接手に持って、支柱を押し下げるようにして作業者の力だけで差込んでいる。このような方法では、支柱に強い力を作用させることができないため、支柱を深く差し込むことが困難である。支柱を槌などで打ち込む場合は、支柱そのものを損傷させる可能性がある。  また、深く差し込んだ支柱を抜く場合、直接手で抜くのが困難な場合がある。
【０００３】
特許文献１には、上部を閉じた筒体の側面にレバーを設け、支柱に被せた筒体のレバーを踏み込む思想が開示されている。また、特許文献２には、蓋体を嵌着した筒体の握棒を突出させ、筒体を支柱に被せて、握棒を手に持って押し下げる思想が開示されている。
特許文献１や２に開示された差込具は、基本的に作業者の力や体重を支柱の先端に作用させるものである。
【先行技術文献】
【特許文献】
【０００４】
【特許文献１】特開２０１０−２２０５９９号公報
【特許文献２】実用新案登録第３１０８６３６号公報
【考案の概要】
【考案が解決しようとする課題】
【０００５】
特許文献１や２に開示される、支柱の差込具では、作業者の力や体重だけが支柱に作用するため、差し込みのために大きな力を作用させることができないとともに、支柱の上端にのみ力が作用するため、例えばビニールコーティングをした支柱の上端が損傷する可能性がある。また、筒体の長さによって差し込むことができる支柱の長さが制限されること、筒体そのものが比較的長いものとなる結果、差込具そのものが重くて扱いにくいものとなる欠点がある。
【０００６】
上記、従来技術の欠点に鑑み、本考案は小さな力で効果的に支柱の差し込みだけでなく、引き抜きの作業を行うことができる支柱の差込具を実現することを目的とするものである。
さらに、別の目的は、小さくてより軽便な構造であって、安価に提供することができ、支柱の長さに関係なく使用することができる、汎用性に優れた差込具を実現することを目的とするものである。
【考案の開示】
【課題を解決するための手段】
【０００７】
上記目的を達成する、請求項１に記載の本考案支柱差込具は、支柱Ａを貫通させることができる、垂直方向の貫通孔３を穿設した支柱保持部１に、前記貫通孔３と直交する方向、すなわち、側方に突出する操作部２を設けるものとする。
支柱保持部１には側方から支柱Ａを挿入することができるように、側面が開放されることによって断面略Ｕ字状とし、前記貫通孔３と交差する斜め方向に交差孔４を穿設する。そして、交差孔４の開放部4ａから交差孔４内に挿入した支柱を、支柱保持部１と相対的に回動させて垂直方向の貫通孔３内に支柱を移動させることができるように、貫通孔３と交差孔４の間を切除して貫通孔３を交差孔４に向けて開口させたことを特徴とするものである。
【０００８】
請求項２記載の考案は、貫通孔３の平面形状を、太径の支柱を挿入することができる直径、すなわち大きな半径Ｒの貫通孔３とするとともに、貫通孔３の内側面3aの操作部２延長方向の対向位置に、細径の支柱の外側面の曲率半径ｒと一致する小さな曲率半径の凹溝を形成する。すなわち、内側面3aに貫通孔３の内側面のアールよりも小さなアールとした、わずかな凹溝７を形成することである。
請求項３に記載の考案は、操作部２を水平方向の棒状とし、該棒状の操作部の両端にサイズの異なる支柱保持部を形成することである。
【考案の効果】
【０００９】
請求項１記載の考案によれば、支柱保持部１の斜め方向に穿設された、交差孔４の開放部4ａか差し込むべき支柱の適宜中間位置を挿入し、操作部を持って支柱保持部１を回動させ、支柱を貫通孔３内に誘導する。その状態で、操作部２を持って、前記回動した方向に回動させると、支柱に対して梃の原理で比較的大きな差し込む力、あるいは抜き出す力が作用し、支柱Ａを容易に差込むあるいは抜き取ることができる。
【００１０】
このとき、交差孔４は上が内側、下が外側に傾斜する方向で支柱に差し込んだ後貫通孔と一致する方向に回動させ、操作部２を下方に回動させると、貫通孔３の上端外側と下端内側を支点として、支柱には下向きの力が作用し、支柱を比較的小さな力で差し込むことができる。
これに対して、交差孔４は上が外側、下が内側に傾斜する方向で支柱に差し込んだ後貫通孔と一致する方向に回動させて、操作部２を上方に回動させると貫通孔３の上端内側と下端外側を支点として、支柱には上向きの力が作用し、差し込まれている支柱を比較的小さな力で引き抜くことができる。
すなわち、本考案の支柱差込具は、一つの差込具を天地反転させて使用することによって、支柱の差し込みと引き抜きの両方に使用することができる効果がある。
【００１１】
このように、本考案支柱差込具では、操作部２を持て梃の原理で支柱の差し込みや引き抜きを小さな力で行うことができる効果がある。また、全体として支柱保持部１と操作部２で構成される比較的小さなものであるため、安価に提供することができ手軽に利用することができる。
さらに、支柱保持部１は支柱の任意高さ位置に挿入して使用することができるため、作業者の体格に応じて最も作業し易い、換言すれば力の入り易い状態で作業を進めることができる。
請求項２記載の考案によれば、一つの支柱保持部１にサイズの異なる支柱を挿入して利用する場合に、支柱がなるべく滑りにくく、安定した状態で利用することができる。また、請求項３に記載の考案によれば、一つの差込具を複数種類のサイズ用として利用することができる効果がある。
【図面の簡単な説明】
【００１２】
【図１】図１は、本考案支柱差込具の実施形態を示す斜視図、
【図２】図２は、支柱差込具の正面図、
【図３】図３は、支柱差込具の平面図、
【図４】図４は、支柱差込具の縦断面図
【図５】図５は、支柱差込具の背面図、
【図６】図３は、支柱差込具の底面図、
【図７】図７は、図２の矢視方向から見た拡大図、
【図８】図８は、支柱保持部のみの拡大平面図、
【図９】図９は、支柱差し込みのために支柱保持部の貫通孔に支柱を挿入する状態の縦断面図、
【図１０】図10は、支柱を差し込む状態を示す縦断面図、
【図１１】図11は、支柱引き抜きのために支柱保持部の貫通孔に支柱を挿入する状態の縦断面図、
【図１２】図12は、支柱を引き抜く状態を示す縦断面図、
【図１３】図13は、細い支柱差し込みのために支柱保持部の貫通孔に支柱を挿入する状態の縦断面図、
【図１４】図14は、細い支柱を差し込む状態を示す縦断面図。
【考案を実施するための最良の形態】
【００１３】
以下、本考案に係る支柱差込具の、実施形態を添付の図面に基づいて説明する。
図１は、本考案支柱差込具の実施形態を示す斜視図、図２は支柱差込具の正面図、図３は平面図、図４は縦断面図である。
【００１４】
本考案に係る支柱差込具は、図１や図４から理解されるように、差し込もうとする支柱を貫通させることができる垂直方向の貫通孔３を穿設した、柱状の支柱保持部１に前記貫通孔３と直交する方向に突出する操作部２を設けることを基本構造とする。操作部２は把持することができる長さ、太さとする。図示実施形態においては、サイズの異なる二つの支柱保持部１、１を棒状の操作部２で連結した構造としている。
支柱保持部１には側方から支柱Ａを挿入することができるように、側面が開放部4aで開放されることによって、図７に示すように断面略Ｕ字状となり、第１図から理解されるように、貫通孔３と交差する斜め方向に交差孔４を穿設する。開放部4ａから交差孔４内に挿入した支柱は図９から回動させて、図10に示すように垂直方向の貫通孔３内に移動させることができるようにする。すなわち、貫通孔３と交差孔４の間を切除し、図３に示すように貫通孔３を交差孔４に向けて開口させ、該部分の貫通孔の平面形状を略Ｕ時状に形成する。
【００１５】
以上述べた、本考案支柱差込具による支柱の差込作業を図９、図10に基づいて説明する。図９に示すように、例えば立てた状態の支柱Ａの任意高さの位置で、支柱Ａを支柱保持部１の交差孔４内に挿入する。
その状態で、図９に矢印で示すように、操作部２を下方に回動させると、支柱Ａは、図10に示すように貫通孔３内に移動する。さらに操作部２を下方に押し下げると、支柱保持部１には図面上右方向の回転モーメントと、下向きの力が作用し、貫通孔３の開口端の接点５、６、具体的には貫通孔３上端の内周縁の接点５が支柱Ａの、図面上左側の表面に、貫通孔３下端の内周縁の接点6が支柱Ａの図面上右側の表面に密接する。したがって、操作部２に作用する力Ｆは、支点からの距離に比例する大きな回転モーメントとして作用し、支柱の下端が接地しているため下方への押圧力として作用し、支柱Ａを大きな力で差し込むことができる。
【００１６】
次に、本考案支柱差込具による支柱の抜き取り作業を、図11、図12に基づいて説明する。図11に示すように、差し込まれている支柱Ａの任意高さの位置で、支柱Ａを支柱保持部１の交差孔４内に挿入する。このとき、支柱保持部１は、前記図9に示す場合とは天地を逆方向とする。
その状態で、図12に矢印で示すように、操作部２を上方に回動させると、支柱Ａは、図12に示すように貫通孔３内に移動する。さらに操作部２を上方に押し上げると、支柱保持部１には図面上右方向の回転モーメントと上向きの力が作用し、貫通孔３の開口端の接点５、６、具体的には貫通孔３上端の内周縁の接点６が、図面上左側の支柱Ａの表面に、貫通孔３下端の内周縁の接点５が、図面上右側の支柱Ａの表面に密接する。したがって、操作部２に作用する上方への力Ｆは、支点からの距離に比例する大きな回転モーメントとして作用し、差し込まれている支柱Ａを上方へ引き抜く力として作用し、差し込まれている支柱をＡを大きな力で引き抜くことができる。
【００１７】
本考案の実施形態では、図８に示すように貫通孔３の平面形状を、太径の支柱を挿入することができる直径Ｄの貫通孔３とするとともに、細径の支柱の外側面の曲率半径と一致する小さな曲率半径ｒの凹溝７を形成している。したがって、一つの操作部において直径の異なる二種類の支柱に対応することができる。
本考案に係る支柱差込具を用いて、細い支柱を差し込む状態を図13、図14に基づいて説明する。図13に示すように、支柱Ａを支柱保持部１の交差孔４内に挿入する。
その状態で、操作部２を下方に回動させると、支柱Ａは貫通孔３内に移動し、さらに操作部２を下方に押し下げると、図９、図10と同じように、作用して支柱が差し込まれる。このとき、支柱Ａは貫通孔３内において、少し斜めになって貫通孔３の開口端の接点５、６が支柱Ａ当接することになる。このとき、大きな曲率半径の曲面に細径の支柱が当接すると、支柱Ａが安定しない可能性があるが、図示実施形態のように細径の支柱の外側面の曲率半径と一致する小さな曲率半径ｒの凹溝７を形成していると、安定よく細い支柱を差し込み、あるいは引き抜くことができる。
【００１８】
本考案に係る支柱差込具は、一つの支柱保持具１に一つの操作部２を形成するものであってもよいが、図示実施形態においては、棒状の操作部２の両端に大きさの異なる支柱保持部を配置している。このようにすることによって、直径の異なる多種類の支柱の差込具として活用することができる。
本考案差込具は、貫通孔３の直径よりも多少小さな支柱の抜き差しは、特に請求項２の構成によって支障なく行うことが出来るが、直径が大きく違う支柱は、支柱そのものが貫通孔内で安定せず、あるいは滑る可能性があるため、操作部の両端に支柱保持部を形成することによって、通常使用する園芸用支柱の差込具として汎用することができる。一つの操作部において二種類の直径の支柱に対応することができることは、先に述べたとおりである。したがって、一つの操作部の両端に操作部を形成する場合は、四種類の直径の支柱に対応することができることになる。例えば、一つの支柱差込具によって、８mm、11mm、16mm、20mmの支柱に対応させることができる。
なお、一般的に使用する支柱の直径の範囲は限定されており、例えば8mm未満の細い支柱を強く差し込んで使用することは少ないであろう。
【００１９】
また、本考案支柱差込具は、金属製や木製など、任意の材質で製造することができるが、ある程度強度のある合成樹脂製とすることによって、安価に提供することができる。園芸用支柱の多くは、その表面を合成樹脂材でコーティングしているため、合成樹脂製の支柱差込具とすることによって、滑りにくく安定した作業を行うことができるとともに、特許文献に記載された差込具のように支柱を損傷するようなことがない。
【符号の説明】
【００２０】
１…支柱保持部、  ２…操作部、  ３…貫通孔、  3a…内側面、  ４…交差孔、  4a…開放部、  ５、６…接点、  ７…凹溝、  Ａ…支柱。
【図１】
0003201531.tif 000003
【図２】
0003201531.tif 000004
【図３】
0003201531.tif 000005
【図４】
0003201531.tif 000006
【図５】
0003201531.tif 000007
【図６】
0003201531.tif 000008
【図７】
0003201531.tif 000009
【図８】
0003201531.tif 000010
【図９】
0003201531.tif 000011
【図１０】
0003201531.tif 000012
【図１１】
0003201531.tif 000013
【図１２】
0003201531.tif 000014
【図１３】
0003201531.tif 000015
【図１４】
0003201531.tif 000016